(57)【特許請求の範囲】
【請求項１】
記録媒体への記録動作の停止操作に応答して該記録媒体を所定長だけ巻き戻してのち停止させる方式の記録装置において、
前記停止操作が行われても、前記停止操作後から所定時間の間、前記記録動作をホールドし、かつ、前記所定時間内における次の記録開始操作により、前記記録動作のホールド状態が解除され、前記記録動作を継続する機能を備えた、
ことを特徴とする記録装置。
【請求項２】
請求項１に記載の記録装置において、
前記所定時間の長さを任意に設定可能としたことを特徴とする記録装置。
【請求項３】
被写体を撮像するとともにこの撮像に係る信号を含むカメラ出力を出力するカメラ部と、前記信号をビデオテープに記録中にその記録動作を停止させるストップ操作に応答して該ビデオテープを所定長巻き戻してのちに停止させるＶＴＲ部と、ビデオテープへの記録の開始と停止とを行うための記録開始／停止操作キーとを備えたカメラレコーダ等の記録装置において、
ビデオテープに記録動作中に前記記録開始／停止操作キーを操作してもその操作後から所定時間の間は、前記記録動作をホールドし、かつ、前記所定時間内における前記記録開始／停止操作キーの再操作により、前記記録動作のホールド状態が解除され、前記記録動作を継続するように構成されている、
ことを特徴とする記録装置。
【発明の詳細な説明】
【０００１】
【発明の属する技術分野】
本発明は、記録媒体への記録動作を停止させる停止操作に応答して該記録媒体を所定長巻き戻してのちに停止させる方式の記録装置に関する。
【０００２】
【従来の技術】
例えばデジタルＶＴＲが一体化されたデジタルカメラは、報道用カメラレコーダとして、ＴＶ放送局等の放送用ニュースの取材に際し機動性に優れたものとして汎用化されている。このようなカメラレコーダにおいては、記録開始／停止操作キー（Ｓ／Ｓキーと略称する）を操作するとビデオテープが走行して被写体の映像と音声のビデオテープへの記録が開始され、再度操作すると、ビデオテープの走行が停止してビデオテープへの前記映像と音声の記録が停止される。
【０００３】
この場合、図８で示すように、Ｓ／Ｓキーを操作してビデオテープに被写体の映像と音声の記録動作中（ＲＥＣモード）に、再度Ｓ／Ｓキーを操作すると、ビデオテープは所定長巻き戻し（ＲＥＷモード）されてから停止する。そして、次の被写体の映像と音声の記録のためにＳ／Ｓキーを操作すると、直ちにビデオテープへの被写体の映像と音声の記録が行われるのではなく、フレーム単位のつなぎ撮りを実現するために、フレーミングサーボ引き込みのための助走期間（ＲＥＣ助走モード）を設け、フレーミングサーボが引き込んだのちビデオテープへの被写体の映像と音声の記録が開始される（ＲＥＣモード）、というようになっている。
【０００４】
この巻き戻しにほぼ１秒、ＲＥＣ助走にほぼ０．５秒要するので、Ｓ／Ｓキーを操作してＲＥＣモードを解除し、次にＳ／Ｓキーを操作してＲＥＣモードに入るまでには最短でも１．５秒を要することになる。
【０００５】
【発明が解決しようとする課題】
ニュース取材の現場には例えば自宅玄関口から現れる重要な人物の映像と音声を、取材陣が、上述したカメラレコーダのビデオテープに記録して、昼のニュース番組における報道のニュース素材にしようとして待ち構えている場合がある。
【０００６】
この場合、できる限りその人物の表情が分かるようにその人物を正面から撮影してビデオテープに記録したいが、その人物が玄関口から現れるの時刻が不明で、しかもその人物を撮影できる機会がほんの一瞬な場合がある。
【０００７】
このような取材では、人物が現れる以前よりその玄関口にカメラレコーダの撮影レンズを向けてＳ／Ｓキーを押してビデオテープを回しているだけであれば、ビデオテープには玄関口だけのいわば空の映像が記録され無駄にビデオテープが使用され後刻におけるビデオテープの編集作業等に費やされる時間が長くかかることになるから、そのニュース番組が始まるまでのビデオテープ編集作業時間が限定されて少ないときには不都合である。また、カメラレコーダの電池容量あるいはビデオテープの記録残量にも限度があり、できれば無駄に電池とかビデオテープの消耗を抑えたい。
【０００８】
そこで、取材現場のカメラマンとしては、そうした不都合が心配となり、人物がまだまだ現れないと思ってＳ／Ｓキーを操作して記録動作を停止させてしまった瞬間に、その人物が現れ、慌ててビデオテープを回してその人物の映像と音声とを記録するべくＳ／Ｓキーを再操作しても、上述したように、ＲＥＣモードになるまでに最短でも１．５秒かかる。そのため、Ｓ／Ｓキーを操作してからほんの１〜２秒経過してＲＥＣモードとなりビデオテープに映像と音声の記録が開始されるようになったときには既にその人物はカメラマンに対して後ろ向きの状態となっており、結局は音声は記録されてもその人物の後姿だけがビデオテープに映像として記録されていたということがある。
【０００９】
もちろん、このような人物の映像は、ニュース素材として採用されなくなり、カメラマンにとってはたいへん残念な事態となる。
【００１０】
したがって、本発明においては、記録動作を停止させる操作をしても、所定時間の間、その記録動作が停止されず、ホールドされるようにして、上述した不都合を解消できる記録装置を提供することを解決すべき課題としている。
【００１１】
【課題を解決するための手段】
本発明の記録装置においては、記録媒体への記録動作の停止操作に応答して該記録媒体を所定長だけ巻き戻してのち停止させる方式において、前記停止操作が行われても、前記停止操作後から所定時間の間、前記記録動作をホールドし、かつ、前記所定時間内における次の記録開始操作により、前記記録動作のホールド状態が解除され、前記記録動作を継続する機能を備えたことを特徴としている。
【００１２】
【発明の実施の形態】
本発明第１の記録装置は、記録媒体への記録動作の停止操作に応答して該記録媒体を所定長だけ巻き戻してのち停止させる方式の記録装置において、前記停止操作が行われても、前記停止操作後から所定時間の間、前記記録動作をホールドし、かつ、前記所定時間内における次の記録開始操作により、前記記録動作のホールド状態が解除され、前記記録動作を継続する機能を備えたことを特徴としている。
【００１３】
この場合、本発明第１の記録装置は、好ましくは、前記所定時間の長さが任意に設定可能である。
【００１５】
本発明第２の記録装置は、被写体を撮像するとともにこの撮像に係る信号を含むカメラ出力を出力するカメラ部と、前記信号をビデオテープに記録中にその記録動作を停止させるストップ操作に応答して該ビデオテープを所定長巻き戻してのちに停止させるＶＴＲ部と、ビデオテープへの記録の開始と停止とを行うための記録開始／停止操作キーとを備えたカメラレコーダ等の記録装置において、ビデオテープに記録動作中に前記記録開始／停止操作キーを操作してもその操作後から所定時間の間は、前記記録動作をホールドし、かつ、前記所定時間内における前記記録開始／停止操作キーの再操作により、前記記録動作のホールド状態が解除され、前記記録動作を継続するように構成されていることを特徴としている。
【００１６】
以下、本発明の実施の形態に従う記録装置について図面を参照して詳細に説明する。
【００１７】
なお、本実施の形態の記録装置は、カメラ部とＶＴＲ部とが一体化されたカメラレコーダに適用して説明されるが、このような形態の記録装置に限定されるものではなく、カメラとＶＴＲとが別体であるが、有線あるいは無線で接続された形態の記録装置にも適用される。また、ＶＴＲは記録も再生も可能であるが、記録専用のものにも適用される。カメラとは切り離し、ＶＴＲ等の記録装置だけも含む。本発明は、要するに、記録媒体への記録動作の停止操作に応答して該記録媒体を所定長だけ巻き戻してのち停止させる方式の記録装置のすべておよびこれを備えた機器のすべてに適用される。
【００１８】
図１は、本発明の実施の形態に従うカメラレコーダの外観斜視図であり、図２は、図１のカメラレコーダの内部回路ブロック図である。
【００１９】
これらの図において、１は、カメラレコーダであり、そのカメラレコーダ１の前部に撮影レンズ２が、上部にビューファインダ３とマイクロホン４が、後部に不図示の電池が、それぞれ装着されている。
【００２０】
カメラレコーダ１の側面にはＶＴＲのビデオカセットを装填するためのカセット装填部５と、カメラレコーダを操作設定するための各種操作／設定部６とが配備されている。
【００２１】
このようなカメラレコーダ１の内部には、カメラ部とＶＴＲ部それぞれの回路および機構が内蔵されている。このようなカメラレコーダにおけるカメラ部やＶＴＲ部の回路、機構は周知であるのでその詳細は省略する。
【００２２】
このカメラレコーダ１の側面には、電源スイッチ７が、また、前部にはビデオテープを駆動して被写体の映像の記録の開始と、その記録の停止とを行うために操作される記録開始／停止操作キー（Ｓ／Ｓキー）８が取り付けられている。
【００２３】
カメラ部では撮影レンズ、撮像素子、撮像回路などにより、被写体あるいはその周囲の映像と音声とが処理されてカメラ出力として出力されている。
【００２４】
ＶＴＲ部では、Ｓ／Ｓキー８が操作されると、カセット装填部５に装填されているビデオカセット内からビデオテープが引き出されてシリンダに巻き付けられ、そのビデオテープに回転型の磁気ヘッドによる被写体の映像と音声とが記録される記録モード（ＲＥＣモード）になる。再度、Ｓ／Ｓキー８が操作されても、その操作で記録動作が即座に停止されてビデオテープが巻き戻されるのではなく、所定期間が経過するまではその記録動作がそのままホールドされるようになっている。そして、この所定期間が経過すると記録動作のホールド状態が解除されて、ビデオテープへの記録動作は停止されビデオテープは所定量巻き戻されるようになっている。また、記録動作がホールドされている期間中にＳ／Ｓキー８が操作されると、所定期間が経過してもビデオテープは巻き戻しされず、記録動作がそのまま継続されるようになっている。
【００２５】
図２を参照して、このような動作を行うためのカメラレコーダ１の内部のブロック構成について説明する。このカメラレコーダ１は、カメラ部９とＶＴＲ部１０とを有している。
【００２６】
カメラ部９は、撮影レンズとか撮像素子等を含むもので被写体を撮像する撮像部１１と、撮像部１１よりの映像信号を増幅するアンプ１２と、アンプ１２により増幅された撮像部１１よりの映像信号を処理する信号処理部１３とを含む。信号処理部１３では同時に音声信号を処理し、映像信号と音声信号とを含んだカメラ信号を出力する。なお、この場合、音声信号の入力あるいはその処理についての説明は省略されている。
【００２７】
ＶＴＲ部１０は、カメラ部９よりの映像信号と音声信号とを含むカメラ信号をテープに記録処理し、またビデオテープに記録されている信号を再生処理する信号記録／再生処理部１４と、カメラ信号をビデオテープに記録したり、ビデオテープに記録されている信号を再生したりするもので不図示のシリンダのスリットから臨まされている磁気ヘッド１５と、ＶＴＲ機構の各種モータを制御するモータ制御部１６と、このモータ制御部１６で制御されるキャプスタンモータ１７およびシリンダモータ１８とを有する。キャプスタンモータ１７は、ビデオテープを記録／再生時に記録／再生方向に一定の速度で走行駆動させるために不図示のキャプスタンを駆動するためのモータである。シリンダモータ１８は、ビデオテープへの信号の記録／再生時にビデオカセットから引き出されたビデオテープが巻き付けられる不図示のシリンダを回転駆動するためのモータである。
【００２８】
カメラレコーダ１はまた、カメラ部９とＶＴＲ部１０それぞれを制御するマイクロコンピュータからなるシステムコントローラ１９を有する。システムコントローラ１９は、カメラ部９とＶＴＲ部１０それぞれ独立に備えても構わないが、本実施の形態では１つのシステムコントローラ１９でカメラ部９とＶＴＲ部１０とをそれぞれ制御するものとしている。
【００２９】
カメラレコーダ１はさらに、システムコントローラ１９の制御動作プログラムが記憶されているプログラムメモリ２０、ビューファインダー（ＶＦ）内表示部２１、各種操作設定部６、Ｓ／Ｓキー８および記録モード（ＲＥＣモード）ホールド時間設定部２２（以下ではホールド時間設定部２２という）を備えている。このホールド時間設定部２２は、前記各種操作設定部６に含まれるが、説明の都合で、図２では別のブロックで示されている。ＲＥＣモードホールド時間は、ＲＥＣモードにおいてＳ／Ｓキー８によりビデオテープへの記録動作の停止操作を行ってもその停止操作後からＲＥＣモードが維持されその記録動作がホールドされる所定時間のことである。
【００３０】
各種操作／設定部６は、カメラレコーダ１における各種操作例えば撮像操作、録画操作、再生操作等の操作のみならず、色調整、ガンマ特性、ニー特性、ディテイル特性、撮影感度の設定、録画画質モードの設定、電池種類の選択等の操作も可能である。
【００３１】
ＶＦ内表示部２１は、ビューファインダー３内の表示部であり、撮像部１１で映し出される被写体の映像が映し出されるとともに、システムコントローラ１９により制御された映像が映し出されるようになっている。
【００３２】
図３および図４を参照して、各種操作設定部６の要部およびその設定操作について説明する。図３は、各種操作設定部６の正面図であり、図４は、各種操作設定部６の操作によるＶＦ内表示部２１の表示画面を示す図である。
【００３３】
この各種操作設定部６は、メニユーセット／オフ（ＭＥＮＵ  ＳＥＴ／ＯＦＦ）キー６ａ、ページ（ＰＡＧＥ）キー６ｂ、アップ（ＵＰ）キー６ｃ、ダウン（ＤＯＷＮ）キー６ｄ、シフト／アイテム（ＳＨＩＦＴ／ＩＴＥＭ）キー６ｅを有している。
【００３４】
前記メニューセット／オフキー６ａがセット（ＳＥＴ）側に操作されると、ＶＦ内表示部２１の表示画面は、図４（ａ）で示すように、メニユー（ＭＥＮＵ）画面となる。次に、ＰＡＧＥキー６ｂが操作されると、各種機能を示す不図示のページ画面となる。ページ画面には各種機能が表示されており、そのページ画面に所望の機能を表示した画面が無い場合はそのページ画面をＵＰキー６ｃまたはＤＯＷＮキー６ｄを操作して送る。
【００３５】
そして、このページ画面の送り操作で、図４（ｂ）で示されるＲＥＣ  ＨＯＬＤ  ＴＩＭＥ（記録ホールド時間）の有る画面が表示されると、そのＲＥＣ  ＨＯＬＤ  ＴＩＭＥのページ画面を選択する。この画面には、０．５秒、１．０秒、１．５秒、２．０秒の種類のＲＥＣモードホールド時間が表示されている。そこでＳＨＩＦＴ／ＩＴＥＭキー６ｅを操作してカーソルを移動させ、例えばそのホールド時間を０．５秒としたい場合は、そのカーソルを０．５秒に合わせる。そして、このホールド時間に決定する操作を行う。
【００３６】
以上において、ホールド時間設定部２２は、これら各種操作設定部６内の前記各キー６ａ〜６ｅから構成されている。
【００３７】
この場合、各種操作設定部６とは別に、図５で示すように、このホールド時間設定部２２をカメラレコーダ１の側面等に配備しても構わない。ここで、２２ａ〜２２ｄは、それぞれ、ホールド時間を０．５秒、１．０秒、１．５秒、２．０秒に設定するための操作部となる。システムコントローラ１９は、これら各操作部２２ａ〜２２ｄからの入力に対応してホールド時間を設定する。
【００３８】
このような方法の場合では、ＶＦ内表示部２１をカメラマンは覗き込みながら、各種操作設定部６を操作する必要がなくなり、操作がより便利となる。
【００３９】
次に図６および図７を参照して動作を説明する。
【００４０】
図６は、その動作説明に供するフローチャートであり、図７は、記録動作中におけるＳ／Ｓキー８の操作の有無に対応したビデオテープの走行状態を示しており、図７（ａ）はＳ／Ｓキー８の操作が有った場合、図７（ｂ）はその操作が無かった場合を示している。
【００４１】
ステップＮ１でＳ／Ｓキー８の操作があると、システムコントローラ１９は、ステップＮ２で現在、ビデオテープに映像と音声の記録動作中（ＲＥＣ中）かどうかを判断する。記録動作中でないときは、ステップＮ３でビデオテープに映像と音声の記録動作を行う。
【００４２】
そして、記録動作中であるときは、ステップＮ４でＳ／Ｓキー８が操作されたのにもかかわらず、その記録動作のホールドを開始する。ステップＮ５ではその記録動作のホールド時間として設定された時間例えば２．０秒が経過したかどうかを判断する。この所定時間が経過していないときはステップＮ６でＳ／Ｓキー８が操作されたかどうかを判断する。Ｓ／Ｓキー８が操作されているときはステップＮ７で前記ホールド時間が経過した後もそのまま記録動作を継続する。また、ステップＮ６でＳ／Ｓキー８が操作されていないと判断すると、ステップＮ５に戻り、所定時間経過したかどうかを判断し、Ｓ／Ｓキー８の操作もなくそのまま所定時間が経過すると、ステップＮ８で記録動作を停止し、ビデオテープを所定量巻き戻してビデオテープの走行を停止させる。
【００４３】
以上のステップにおいては、ステップＮ１→Ｎ２→Ｎ４→Ｎ５→Ｎ６→Ｎ７のステップ経路が図７（ａ）に対応し、ステップＮ１→Ｎ２→Ｎ４→Ｎ５→Ｎ８のステップ経路が図７（ｂ）に対応している。
【００４４】
すなわち、図７（ａ）でＲＥＣ中の期間▲１▼の時刻ｔ１でＳ／Ｓキー８が操作される。この時刻ｔ１でのＳ／Ｓキー８の操作は、記録動作を停止させるための操作である。これによって、その記録動作は直ちに停止されるのではなく、所定時間の間、つまり、あらかじめ設定されたホールド時間▲２▼が経過するまでは記録動作がホールドされる。そして、このホールド時間が経過する前の時刻ｔ２でＳ／Ｓキー８が操作されると、そのホールド時間が経過してもそれ以降もその記録動作は継続される。
【００４５】
また、図７（ｂ）で図７（ａ）でＲＥＣ中の期間(１）の時刻ｔ１でＳ／Ｓキー８が操作される。この時刻ｔ１でのＳ／Ｓキー８の操作は、ＲＥＣモードを解除して記録動作を停止させるための操作である。しかし、これによってその記録動作が直ちに停止されるのではなく、所定時間の間、つまり、あらかじめ設定されたホールド時間（２）が経過するまでは記録動作がホールドされる。そして、この場合は、ホールド時間が経過する前にＳ／Ｓキー８が操作されない。そのため、ホールド時間が経過する時刻ｔ３で記録動作が停止され、それ以降は、ビデオテープは巻き戻しされる、そして、時刻ｔ４でＳ／Ｓキー８が操作されると、ビデオテープは助走走行されてから、記録動作が開始される。
【００４６】
以上のようにして、本実施の形態では、カメラマンが、Ｓ／Ｓキー８を操作して記録を停止させたとしても、その記録が即座に停止されるのではなく、あらかじめ設定されたホールド時間だけ記録動作がホールドされる。その結果、上述した取材の現場においては、重要人物がまだ現れないと思って記録動作を停止させようとしてＳ／Ｓキー８を操作した瞬間に、その人物が現れても、そのときは、まだＲＥＣモードが解除されずそのまま記録動作がホールドされているので、その人物の正面の映像を記録することができる。そして、この場合、再度、Ｓ／Ｓキー８を操作すると、そのまま記録動作がホールドされるので、結局、ビデオテープには、その人物の正面からの姿つまりその人物の表情を含めた重要な映像をビデオテープに記録することができ、ニュース素材として十分に採用され、カメラマンにとってたいへん便利で信頼して使用できるカメラレコーダとなる。
【００４７】
【発明の効果】
以上のように本発明によれば次の効果を得られる。
【００４８】
本発明第１および第２の記録装置は、記録動作に対する停止操作が行われてもその操作後から所定時間の間は、記録動作がホールドされるので、例えば、その記録動作の停止操作直後等における重要な被写体の映像等の記録を逃すことがなくなり、取材等にたいへん有用な記録装置となる。
【００４９】
この場合、前記ホールド時間の長さが固定であると、取材に即した記録が容易でなくなるが、このホールド時間を任意に設定可能とした場合、取材の事情に応じた映像等の記録ができて、取材に即した記録が可能となり、より有用な記録装置となる。
【００５０】
この場合、そのホールド時間が経過して、記録動作が停止されると、次の記録操作までにやはりビデオテープには映像の記録が欠落する可能性があるが、前記所定時間内であっても前記記録動作のホールド状態が次の記録開始操作により解除可能に構成されていると、そのような映像が欠落して記録されるのを確実に防止できる。
【図面の簡単な説明】
【図１】本発明の実施形態に係るカメラレコーダの外観斜視図
【図２】図１のカメラレコーダの内部回路ブロック図
【図３】図１のカメラレコーダの各種操作設定部の正面図
【図４】図１のカメラレコーダのＶＦ内表示部の表示画面を示す図
【図５】図１の記録モードホールド時間設定部の他の変形を示す図
【図６】図１のカメラレコーダの動作説明に供するフローチャート
【図７】図１のカメラレコーダの場合におけるＳ／Ｓキー８を操作した場合のビデオテープの走行状態を示す図
【図８】従来のカメラレコーダの場合におけるＳ／Ｓキー８を操作した場合のビデオテープの走行状態を示す図
【符号の説明】
１  カメラレコーダ
２  撮影レンズ
３  ビューファインダ
５  カセット装填部
６  各種操作設定部
８  記録開始／停止操作キー（Ｓ／Ｓキー）
９  カメラ部
１０  ＶＴＲ部
１９  システムコントローラ
２２  記録モードホールド時間設定部
【図１】
0003785293.tif 000002
【図２】
0003785293.tif 000003
【図３】
0003785293.tif 000004
【図４】
0003785293.tif 000005
【図５】
0003785293.tif 000006
【図６】
0003785293.tif 000007
【図７】
0003785293.tif 000008
【図８】
0003785293.tif 000009